(57)【要約】【課題】  収納箱を不要にして重量の軽減を図り、持ち運びが容易で作業性が大幅に改善されある開閉器操作工具蓄勢器を提供する。【解決手段】  ばね部材(32)を圧縮する方向に移動する作動軸(38)と、作動軸(38)を挟んで略平行に配設された一対の支持棒(35a, 35b)と、作動軸(38)を所定位置に係止するロック機構(40)と、作動軸(38)の一端に結合した連結金具(33)とを有する開閉器操作工具(30)にばね力を蓄えるため、蓄勢器(10)は、操作棒(16)を取付けて回動操作される操作棒取付部材(11)と、操作棒取付部材(11)に連結した各々の一端部を支点として操作棒取付部材(11)の回動する方向に回動可能に取り付けられ、各々の他端部が連結金具(33)に係合される一対の係止部材(17a, 17b)と、係止部材(17a, 17b)と反対側で操作棒取付部材(11)に連結した各々の一端部を支点として回動可能に取り付けられ、各々の他端部に開閉器操作工具(30)の一対の支持棒(35a, 35b)に係合する係合部材(27a, 27b)を設けた一対の支持部材(19a,19b)とを備える。【選択図】  図３
2007294167.tif 000002
【特許請求の範囲】
【請求項１】
ばね部材を圧縮する方向に移動する作動軸と、該作動軸を挟んで略平行に配設された一対の支持棒と、前記作動軸を所定位置に係止するロック機構と、前記作動軸の一端に結合した連結金具とを有する開閉器操作工具に、ばね力を蓄えるための蓄勢器であって、
操作棒を取付けて回動操作される操作棒取付部材と、
該操作棒取付部材に連結した各々の一端部を支点として該操作棒取付部材の回動する方向に回動可能に取り付けられ、各々の他端部が前記連結金具に係合される一対の係止部材と、
前記係止部材と反対側で前記操作棒取付部材に連結した各々の一端部を支点として回動可能に取り付けられ、各々の他端部に前記開閉器操作工具の一対の支持棒に係合する係合部材を設けた一対の支持部材と
を備えたことを特徴とする開閉器操作工具蓄勢器。
【請求項２】
請求項１記載の開閉器操作工具蓄勢器において、
前記係合部材は、前記一対の支持棒の先端部が嵌め込まれる筒状に形成されていることを特徴とする開閉器操作工具蓄勢器。
【請求項３】
請求項１記載の開閉器操作工具蓄勢器において、
前記支持部材は略Ｌ字状に形成され、Ｌ字形の一方の端部にて前記操作棒取付部材に回動可能に取り付けられ、他方の端部の間には両者を連結すると共に両端が外側に突出した連結板を有し、
該連結板の両端部に前記係合部材が設けられていることを特徴とする開閉器操作工具蓄勢器。
【請求項４】
請求項１記載の開閉器操作工具蓄勢器において、
前記一対の係止部材は、各々の他端部に前記開閉器操作工具の連結金具に係合するフックを有することを特徴とする開閉器操作工具蓄勢器。
【請求項５】
請求項１記載の開閉器操作工具蓄勢器において、
前記操作棒取付部材は、前記操作棒を受け入れる一対の平行な細長い板部材と間隔部材とで箱形に形成されていることを特徴とする開閉器操作工具蓄勢器。
【発明の詳細な説明】
【技術分野】
【０００１】
本発明は、開閉器操作工具にばね力を蓄えるための蓄勢器に関する。
【背景技術】
【０００２】
従来、高圧地中配電線の分岐開閉のために、「モールドジスコン」と称される地中線高圧引込開閉器を路上機器箱内に設置して使用されている。モールドジスコンは、一次側端子及び二次側端子を有する固定モールド部と、その一次側端子及び二次側端子に対して接続、切断して回路を開閉するための可動モールド部とで構成され、固定モールド部に対する可動モールド部の引抜き／差込みによって開閉操作を行っている。
【０００３】
このようなモールドジスコンの開閉操作の際、可動モールド部の引抜き及び差込みには大きな力が必要とされ、そのような力を作用させるためにばね部材を備えた開閉器操作工具（以下、単に操作工具という）を用いている。
【０００４】
図５に示すように、従来の操作工具１００は、以下の部材：
上面が開口した直方体形状の収納箱１０１、
この収納箱１０１の一側壁の上辺の沿った軸を支点として回動自在に取付けられた蓋１０２、
収納箱１０１の一端部近くで両側壁の内側に軸受部材１０７により支持された横軸１０６を支点として回動可能に設けられた操作棒取付部材１０８、
その上部に取付けられる操作棒１０４、
後述の連結金具１１９のフック部１２０を係止するために操作棒取付部材１０８の下端部に設けられた連結軸１０９、
収納箱１０１内に収納された扁平な直方体形状の工具本体１１０、
この工具本体１１０上に滑動可能に設けられたカバー１１１、
工具本体１１０の長手方向中心線に沿って移動可能に支持され、一端（図では左端）が後述の連結金具１１９に結合された作動軸１１２、
この作動軸１１２を挟んで略平行に間隔を置いて配設された一対の支持棒１１４（図では手前側の１本のみ示す）、
作動軸１１２の他端（図では右端）に設けられた係止部１１３と作動軸１１２を移動可能に支持する支持部１１６との間で作動軸１１２の周りに巻回されたコイルスプリングから成るばね部材１１５、
作動軸１１２が、後述のようにばね部材１１５を圧縮する方向に移動するとき、作動軸１１２に設けられたロック孔１２５に入り込むことで作動軸１１２を所定位置に係止するロックピン１１７を備えたロック機構１１８、及び
作動軸１１２の一端に結合し、先端に上記連結軸１０９を係止するためのフック部１２０を備えた連結金具１１９で構成されている。
【０００５】
この操作工具１００を使用しないときは、操作棒取付部材１０８の連結軸１０９を連結金具１１８のフック部１２０から外し、操作棒取付部材１０８を横軸１０６を中心として略水平な状態まで倒して収納箱１０１内に収納する。また、操作棒１０４も収納箱１０１に収納し、蓋１０２を被せて収納箱１０１を閉じる。こうして、必要な部材を収納箱１０１を収納した状態で保管できる。
【０００６】
使用時には、収納箱１０１の蓋１０２を開いて、操作棒取付部材１０８を略垂直状態に立てる。これに操作棒１０４を取付け、図の矢印方向に倒すと、操作棒取付部材１０８の下端部の連結軸１０９に連結した連結金具１１９を介して、作動軸１１２が図において左方に引張られ、ばね部材１１５を圧縮するように移動する。そして、作動軸１１２のロック孔１２５が、ロックピン１１７と一致する位置に来た時、ロックピン１１７の下端部が孔１２５内に落ち込むことによって作動軸１１２がロックされる。これにより、ばね部材１１５が圧縮されてばね力を蓄えた状態に設定される。
【０００７】
こうしてばね力を蓄勢した操作工具１００を用いて、モールドジスコンの開閉操作を行う。すなわち、モールドジスコンの可動モールド部に対し、操作工具１００のロックピン１１７を上方に引き上げることによって作動軸１１２のロックを解除すれば、ばね部材１１５に蓄勢した力が一気に解放される。このばね力を利用して可動モールド部の引抜き、差込みを行うことができる。
【発明の開示】
【発明が解決しようとする課題】
【０００８】
しかしながら、上記のような従来の操作工具は、蓋を含む収納箱だけでも相当の重さ（約６．２ｋｇ）があるので、全体としてかなりの重さ（約１４．５ｋｇ）を有する。このため、作業員が１人で操作工具を持ち運び、ばね力の蓄勢を行ってモールドジスコンの引抜き、差込み作業を行うことは、非常な労力と手間を要する作業となっていた。
【０００９】
本発明の目的は、収納箱を不要として重量の軽減を図り、持ち運びを容易にして作業性を大幅に向上させる開閉器操作工具蓄勢器を提供することである。
【課題を解決するための手段】
【００１０】
本発明は、ばね部材を圧縮する方向に移動する作動軸と、該作動軸を挟んで略平行に配設された一対の支持棒と、前記作動軸を所定位置に係止するロック機構と、前記作動軸の一端に結合した連結金具とを有する開閉器操作工具に、ばね力を蓄えるための蓄勢器であって、
操作棒を取付けて回動操作される操作棒取付部材と、
該操作棒取付部材に連結した各々の一端部を支点として該操作棒取付部材の回動する方向に回動可能に取り付けられ、各々の他端部が前記連結金具に係合される一対の係止部材と、
前記係止部材と反対側で前記操作棒取付部材に連結した各々の一端部を支点として回動可能に取り付けられ、各々の他端部に前記開閉器操作工具の一対の支持棒に係合する係合部材を設けた一対の支持部材と
を備えたことを特徴とする。
【００１１】
本発明の実施態様では、前記係合部材は、開閉器操作工具の支持棒の先端部が嵌め込まれる筒状に形成される。一対の支持部材は、略Ｌ字形に形成され、Ｌ字形の一方の端部にて操作棒取付部材に回動可能に取り付けられ、他方の端部の間には両者を連結すると共に両端が外側に突出した連結板を有し、この連結板の両端部に前記係合部材が設けられる。一対の係止部材は、各々の他端部に開閉器操作工具の連結金具に係合するフックを有する。操作棒取付部材は、操作棒を受け入れる一対の平行な細長い板部材と間隔部材とで箱形に形成される。
【発明の効果】
【００１２】
本発明の蓄勢器は、操作棒取付部材に一端部を回動可能に取り付けた一対の支持部材の他端部に設けた係合部材を、開閉器操作工具の一対の支持棒に係合させることによって、開閉器操作工具に支持される。また、操作棒取付部材に連結した一端部を回動可能に取り付けた一対の係止部材の他端部を、開閉器操作工具の連結金具に係合させることによって、一対の係止部材が開閉器操作工具の作動軸に連結される。
【００１３】
この状態で、操作棒取付部材に取り付けた操作棒を回動させると、これと一緒に回動する操作棒取付部材に取り付けられた一対の係止部材が、連結金具を介して開閉器操作工具の作動軸を移動させるので、ばね部材が圧縮される。そして、ロック機構により作動軸が所定位置に係止されたところで、開閉器操作工具がばね力を蓄勢した状態となる。従って、この蓄勢されたばね力を利用して、前述のようにモールドジスコンの可動モールド部の引抜きや差込み等の開閉操作を行うことができる。
【００１４】
本発明によれば、操作棒の回動操作の際には、開閉器操作工具に対して係合部材を有する支持部材により蓄勢器が支持された状態で、操作棒取付部材を回動させることができる。このため、従来の収納箱に対して操作棒取付部材を回動支持する軸や軸受部材を設ける必要が無く、重い収納箱が不要になる。従って、開閉器の操作に必要な工具全体の重量を減らすことができ、持ち運びが容易になり、操作性も大幅に改善することができる。
【発明を実施するための最良の形態】
【００１５】
図１及び図２に示すように、開閉器操作工具蓄勢器１０は、細長い一対の金属板等の板部材１２ａ，１２ｂと、これら板部材１２ａ，１２ｂを平行に間隔を置いて連結するスペーサ（間隔部材）１４、１５とで、図の縦方向に細長い箱形に形成された操作棒取付部材１１を有する。操作棒取付部材１１の上部に操作棒１６が直立して取外し可能に取り付けられる。操作棒取付部材１１の下部両側面には、一対の係止部材１７ａ，１７ｂと、操作工具３０の一対の支持棒３５ａ，３５ｂが取付けられる一対の支持部材１９ａ，１９ｂとが、ピン２１、２２によって操作棒取付部材１１に夫々回動可能に連結されている。
【００１６】
操作棒取付部材１１を構成する板部材１２ａ，１２ｂとスペーサ１４、１５は、金属板で作られ、例えば溶接により、操作棒取付部材１１を細長い箱形に一体的に形成することができる。或いは、板部材１２ａ，１２ｂとスペーサ１４、１５をヒンジ連結して折畳み可能に形成できると共に、ピン結合して分解可能に形成することもできる。
【００１７】
一対の係止部材１７ａ，１７ｂは、各々一方の端部において、操作棒取付部材１１の側面を形成する板部材１２ａ，１２ｂにピン２１により回動可能に取付けられている。他方の自由端部にフック１８ａ，１８ｂが設けられ、図３に示すように、操作工具３０の連結金具３３の係止ピン３４ａ，３４ｂに係合できるようになっている。
【００１８】
操作工具３０の支持棒３５ａ，３５ｂを支持するための一対の支持部材１９ａ，１９ｂは、夫々略Ｌ字形を成しており、長い方の脚部２３ａ，２３ｂの一端部において操作棒取付部材１１の板部材１２ａ，１２ｂにピン２２により回動可能に取付けられ、他端部すなわち短い脚部２４ａ，２４ｂの側縁には、両者を連結する連結板２５が横方向に延びている。連結板２５の両端部は、支持部材１９ａ，１９ｂの外側に突出して張出部２６ａ，２６ｂを夫々形成し、これら外側に突出する張出部２６ａ，２６ｂ上に、操作工具３０を取付けるための筒状に形成された係合部材２７ａ，２７ｂが夫々取付けられている。尚、これら一対の支持部材１９ａ，１９ｂは、上記一対の係止部材１７ａ，１７ｂの上方において反対方向に延出するように操作棒取付部材１１の両側面の板部材１２ａ，１２ｂに一端部が回動可能に取付けられている。
【００１９】
円筒状の係合部材２７ａ，２７ｂは、連結板２５の両側の張出部２６ａ，２６ｂの上に、例えば溶接して夫々固着することができる。或いは、各係合部材２７ａ，２７ｂの底面に耳部やブラケット部分を設けて、ピンで連結板２５に回動可能に支持することも可能である。更に、球状自在継ぎ手（ボールジョイント）等によって傾動自在に支持することもできる。これら円筒状の係合部材２７ａ，２７ｂに、後述の操作工具３０の支持棒３５ａ，３５ｂの端部３５Ａ，３５Ｂが夫々嵌め込まれることにより、この蓄勢器１０が操作工具３０に取り付けられる。なお、係合部材２７ａ，２７ｂは、円筒形のほか角形その他の形状に形成してもよい。
【００２０】
上記の一対の係止部材１７ａ，１７ｂ及び支持部材１９ａ，１９ｂを回動可能に取り付ける手段としては、ピン２１、２２のほか、頭付ねじやボルト等を使用することもできる。
【００２１】
操作工具３０のばね部材３２を蓄勢するために回動操作される操作棒１６は、中実のロッド部材または中空のパイプ部材等によって１本のレバーとして作ることができるし、或いは複数本のロッド部材またはパイプ部材等を１本の部材として連結して作ることができる。
【００２２】
このように蓄勢器本体としての操作棒取付部材１１、操作棒１６、一対の係止部材１７ａ，１７ｂ及び支持部材１９ａ，１９ｂ、並びにピン２１、２２から構成される開閉器操作工具蓄勢器１０は、収納箱を何等必要としていないので、重い収納箱を省略することができると共に、必要に応じて操作棒固定部材１１を折畳み、或いは分解可能に形成することもでき、開閉器操作工具蓄勢器１０を布袋やプラスチックの箱等に収納して容易に持ち運ぶことができる。しかも、この開閉器操作工具蓄勢器１０は、モールドジスコンのような開閉器の操作工具３０の連結金具３４を介して、ばね部材３２を簡単且つ容易に蓄勢することができる。また、ばね部材３２を連続して蓄勢することも可能である。いずれにしても、操作に必要な力は少なくて済み、作業性と操作性が大幅に改善される。
【００２３】
図３は、上記のように構成された開閉器操作工具蓄勢器を用いて、モールドジスコン等の開閉器の操作工具にばね力を蓄勢するときの使用状態を示し、図４は、操作工具の一例を概略的に示す平面図である。
【００２４】
操作工具３０は、工具本体３１と、スライダとしての固定カバー４２とを有し、フレームとしての工具本体３１に２本の支持棒３５ａ，３５ｂが略平行に配設されており、これら２本の支持棒３５ａ，３５ｂの間の中心線上に配置された連結金具３３と、中心線に沿って延びるように設けられた作動軸３８と、作動軸３８を取り囲んで巻回されたコイルスプリングのようなばね部材３２とを有していて、支持棒３５ａ，３５ｂの端部３５Ａ，３５Ｂが、開閉器操作工具蓄勢器１０の円筒状の係合部材２７ａ，２７ｂ内に嵌め込まれる。これにより、開閉器操作工具蓄勢器１０が操作工具３０に取付け支持される。
【００２５】
図示の操作工具３０においては、支持棒３５ａ，３５ｂが、中空部材であるパイプや中実のロッドのような軸部材等を用いて形成されている。これによって、操作工具３０の取付けに際しては、例えば、長ボルトのような頭部付きの取付ボルトを、操作工具３０の中空のパイプ等の支持棒３５ａ，３５ｂの一方の端から差し込んで、他方の端から取付ボルトの先端部を突出させ、開閉器の支柱にねじ着して操作工具３０を開閉器に取付けることができるようになっている。勿論、中空のパイプの代わりに、中実のロッドや軸または棒部材等を使用して支持棒を形成して用いることも可能であり、この場合には、適宜の連結部材又は継ぎ手を用いて支持棒を開閉器の支柱に取付けることができる。
【００２６】
操作工具３０の連結金具３３は、両側に横方向に突出する連結用の係止ピン３４ａ，３４ｂが設けられており、且つ連結金具３３の一端に蓄力スプリングとしてのばね部材３２を押圧して圧縮するための作動軸３８が連結されている。このような作動軸３８は、中実のロッドや軸部材または棒部材等を用いて形成されるのが好適であるが、パイプのような中空部材を使用して形成することもできる。
【００２７】
更に、連結金具３３は、先端部がフックのような鉤形に形成され、開閉器の開閉蓋の連結用ピンに係合して連結できるように構成される。また、作動軸３８は、連結金具３３に隣接して、合成ゴムまたは軟質のプラスチック材料等のような衝撃を吸収して緩和できる緩衝部材３６を備えると共に、固定カバー４２を固定するための固定部材３７を貫通して延び、且つコイル状に巻回されたばね部材３２の中心線に沿って延びて、他端が押圧部材３９に連結されている。従って、ばね部材３２は、コイルスプリングのように作動軸３８の周りに巻回されて一端が固定部材３７に当接され、他端は押圧部材３９に当接されている。
【００２８】
押圧部材３９は、両端部が支持棒３５ａ，３５ｂに嵌め込まれ、支持棒３５ａ，３５ｂに沿って滑動可能で、連結金具３３を矢印Ｃの方向に係止部材１７によって引っ張る時に、ばね部材３２を圧縮してばね力を蓄勢するようにばね部材３２の一方の端部が連結または当接されている。また、押圧部材３９の外端部には、開閉器の差込みを行う場合に、開閉器の開閉蓋に連結できるように適宜の連結機構が設けられている。
【００２９】
従って、連結金具３３は、図４の実線で示される位置から、係止部材１７ａ，１７ｂによって引っ張られる鎖線で示される位置にまで移動可能である。この場合の移動距離が、ばね部材３２が押圧されて圧縮される距離、すなわちばね圧縮量であって、ばね蓄勢力に比例するものである。
【００３０】
工具本体３１上を滑動可能に設けられた固定カバー４２の上には、ロックピン４１を有したロック機構４０と、固定カバー４２を滑動操作するための取手４６とが設けられている。尚、取手４６は、固定カバー４２の上面側だけでなく下面側、すなわち反対側の裏面側にも同じように設けることができ、これによって固定カバー４２の移動及び固定操作を容易に行うことができると共に、操作工具３０の保持を行なう時にも利用できて便宜であり、操作工具３０を確実に保持することができる。
【００３１】
ロック機構４０は、頭部付のロックピン４１と、凸形のブラケット４３と、ブラケット４３の凸部に枢着されたロックピン抜け止めカバー４４を有しており、ロックピン４２の先端部が、作動軸３８のロック位置に対応した位置に設けられた孔５０に入ってロックされるように形成されている。また、ロックピン４２は、固定部材３７を貫通して下方に延びており、上下方向に動くことができるように設けられていて、作動軸３８の孔５０がロックピン４２と一致する位置に来た時に、ロックピン４２の先端部が作動軸３８の孔５０内に入って作動軸３８に錠止可能、すなわちロック可能に係合されるようになっている。
【００３２】
従って、作動軸３８をロックしているロック位置にあるロックピン４２を上方に引き上げる時に、ロックピン４２の先端部が作動軸３８の孔５０から外れて作動軸３８が自由になるので、押圧された圧縮状態にあるばね部材３２の蓄勢されたばね力が解放され、このばね力によって連結金具３３が工具本体３１の内側に向かって作動軸３８と一緒に移動されるようになる。これによって、ばね部材３２の蓄勢されたばね力を利用してモールドジスコンの可動モールド部を引抜き、或いは差し込みすることができて、開閉器の開閉が行われるようになる。
【００３３】
また、ロック機構４０のロックピン４１の抜け出るのを防止するために、ロックピン抜け止めカバー４４が、ブラケット４３の凸部にピン止めによって回動可能に枢着されている。更に、ロックピン抜け止めカバー４４は、両側に作動ピン４５ａ，４５ｂが左右の方向に突き出るように設けられ、ロックピン抜け止めカバー４４を回動して操作することができるようになっている。
【００３４】
従って、ロック機構４０をロック状態に維持する時には、作動ピン４５ａ，４５ｂを持ってロックピン抜け止めカバー４４を回動してロックピン４１の頭部の上に位置させることによって、ロック用の孔５０に先端部が入っているロックピン４１の抜け出るのを防止してロックピン４１の上方への持ち上がりを防止することができるので、ロックピン４１が作動軸３８のロック用の孔５０から外れて飛び出るのを阻止することができる。
【００３５】
更に、ロック機構４０を解除可能にするためには、作動ピン４５ａ，４５ｂを操作してロックピン抜け止めカバー４４をロックピン４１の上から外すように前方または後方に回動すれば、ロックピン４１の上方への持ち上がりが可能となってロックピン４１の先端部が作動軸３８の孔５０から引き抜くことができるようになり、ロック機構４０がロック解除待機状態に置かれるようになるので、ロックピン４１を適宜の工具を用いて上方に持ち上げれば、ロック機構４０が解除される。
【００３６】
また、操作工具３０は、例えば連結金具３３が設けられている端部側、すなわち図４の操作工具３０の左側、が「切」側で、反対側の端部側、すなわち図４に示される右側、が「入」側であり、開閉器の開閉（切、入）を行う場合に、対応する側の端部を開閉器に対して差し込み、取付ボルトや連結部材等のような適宜の取付手段によって取付けられる。
【００３７】
上記したように、開閉器操作工具蓄勢器１０を操作工具３０に対して取付けてセットし、連結金具３３の係止ピン３４ａ，３４ｂに、開閉器操作工具蓄勢器１０の係止部材１７ａ，１７ｂのフック１８ａ，１８ｂを係合させて操作棒１６を図１乃至図３の矢印Ａで示す方向に引っ張り、連結金具３３を矢印Ｃの方向に引っ張ることによって、ばね部材３２を圧縮してばね力を蓄勢し、作動軸３８のロック用の孔５０にロックピン４１の先端部が落ちこんで係止することにより、ばね部材３２を蓄勢状態に保持することができる。
【００３８】
従って、モールドジスコンの可動モールド部を引き抜く場合には、ばね部材３２のばね力が蓄勢された操作工具３０をモールドジスコンの可動モールド部の引き抜き側である「切」の位置に装着してロック機構４０を解除すれば、ばね部材３２の蓄勢力を利用してモールドジスコンの可動モールド部を引き抜くことができ、しかも円滑に連続して作業することができる。
【００３９】
以下、開閉器操作工具蓄勢器１０を用いた操作工具の蓄勢作業の手順を説明する。
【００４０】
先ず、開閉器操作工具蓄勢器１０を操作工具３０にセットするため、係合部材２７ａ，２７ｂを操作工具３０の支持棒３５ａ，３５ｂの端部３５Ａ，３５Ｂに嵌めて装着する。
【００４１】
次に、係止部材１７ａ，１７ｂのフック１８ａ，１８ｂを連結金具３３の係止ピン３４ａ，３４ｂに引っ掛ける。
【００４２】
続いて、操作棒固定部材１１に操作棒１６を差し入れて操作棒１６を矢印Ａの方向（図３の時計方向）に回動させる。この回動は、ロック機構４０のロックピン４１が作動軸３８のロック用の孔５０に落ち込んで係合するまで続けられる。このロックピン４１によって作動軸３８がロックされた時、ばね部材３２の蓄勢が完了する。
【００４３】
そこで、開閉器操作工具蓄勢器１０を操作工具３０から取外せば、全ての蓄勢作業が完了する。
【００４４】
上記のように、開閉器操作工具蓄勢器１０が装着された操作工具３０において、操作工具３０の支持棒３５ａ，３５ｂの端部３５Ａ，３５Ｂが嵌め込まれた円筒状の係合部材２７ａ，２７ｂの底部を支点として、操作棒取付部材１１が回動される。すなわち、円筒状の係合部材２７ａ，２７ｂと一体の支持部材１９ａ，１９ｂが固定された状態で、操作棒取付部材１１はピン２２を中心として矢印Ａの方向（図３）に回動される。これにより、係止部材１７ａ，１７ｂが矢印Ｂの方向に引っ張られるので、フック１８ａ，１８ｂが係合した連結金具３３の係止ピン３４ａ，３４ｂを介して、連結金具３３と一体の作動軸３８が矢印Ｃの方向に引っ張られ、押圧部材３９によってばね部材３２が圧縮されて、ばね力が蓄勢される。
【００４５】
連結金具３３の引っ張りによってばね部材３２が圧縮され、必要なばね力が蓄勢された場合に、所定位置にセットされた固定カバー４２上のロック機構４０のロックピン４１が作動軸３８の孔５０に嵌まってロックするまで、操作棒１６を手前（矢印Ａ方向）に引っ張る。従って、ロック機構４０のロックピン４１が下がれば、連結金具３３を介した作動軸３８によるばね部材３２の蓄勢が完了するので、ばね部材３２が十分に蓄勢されてロック機構４０がロックされた状態に保持するようになり、これによってばね部材３２が圧縮された蓄勢状態に維持される。このとき、ばね部材３２は、連結金具３３の図４の実線の位置から左方の鎖線の位置にまで移動された距離に等しい長さだけ圧縮される。
【００４６】
このようにして、連結金具３３の移動によって、ばね部材３２が圧縮されてばね力が蓄勢された操作工具３０から開閉器操作工具蓄勢器１０を取外せば、蓄勢作業が完了する。
【００４７】
これにより、モールドジスコン等の開閉器において、連結金具３３と作動軸３８を介してばね部材３２が圧縮されて蓄勢されたばね力を利用して、モールドジスコンのような開閉器の可動モールド部の引抜き或いは嵌め込みを行うことができる。
【００４８】
従って、上述したように構成された開閉器操作工具蓄勢器１０によって、モールドジスコン等のような開閉器における操作工具３０のための収納箱が不要となるので、重量を大幅に軽減することができ、持ち運びが容易になる。
【００４９】
従来の操作工具においては、重量が約６.２ｋｇもある蓋付きの収納箱を有する操作工具全体の重量が約１４．５ｋｇ程と相当に重いものであったが、上記開閉器操作工具蓄勢器１０の使用においては、このような重い収納箱が不要となるので、操作工具全体の重量が約８．８ｋｇ程度となり、約４０％程の重量の軽減を計ることができるようになる。
【００５０】
しかも、モールドジスコン等の開閉器の操作工具３０に対して開閉器操作工具蓄勢器１０を所定位置にセットして操作棒１６を操作することによって、操作工具３０の支持棒３５ａ，３５ｂの一部を使って支点として用い、てこの原理を利用して係止部材１７ａ，１７ｂを介してばね部材３２を圧縮して所要のばね力を蓄勢することができる。そして、ばね力が蓄勢された操作工具３０をモールドジスコンの可動モールド部の引抜く側である「切」の位置に装着し、ロック機構４０のロックピン４１を解除すれば、操作工具３０に蓄勢されたばね力を利用してモールドジスコンの可動モールド部を引抜くことができ、作業性及び操作性が大幅に改善される。
【００５１】
また、モールドジスコンの可動モールド部を嵌め込む場合には、開閉器操作工具蓄勢器１０によってばね力が蓄勢された操作工具３０をモールドジスコンの可動モールド部の、上記とは逆の嵌め込み側である「入」の位置に装着して、ロック機構４０を解除すれば、ばね部材３２の蓄勢力を利用してモールドジスコンの可動モールド部を嵌め込むことができると共に、円滑に連続して作業することができる。
【００５２】
以上、図示の実施例について説明したが、本発明はこれに限定されず、種々の変更及び変形が可能である。
【図面の簡単な説明】
【００５３】
【図１】開閉器操作工具蓄勢器の上方から見た斜視図である。
【図２】図１の開閉器操作工具蓄勢器の下方から見た斜視図である。
【図３】開閉器操作工具蓄勢器の使用状態を示す斜視図である。
【図４】操作工具の一例を概略的に示す平面図である。
【図５】従来の操作工具の一例を概略的に示す縦断面図である。
【符号の説明】
【００５４】
１０…開閉器操作工具蓄勢器、１１…操作棒取付部材、１２ａ，１２ｂ…板部材、１４，１５…スペーサ、１６…操作棒、１７ａ，１７ｂ…係止部材、１８ａ，１８ｂ…フック、１９ａ，１９ｂ…支持部材、２１，２２…ピン、２３ａ，２３ｂ，２４ａ，２４ｂ…脚部、２５…連結板、２６ａ，２６ｂ…張出部、２７ａ，２７ｂ…係合部材、３０…操作工具、３１…工具本体、３２…ばね部材、３３…連結金具、３４ａ，３４ｂ…係止ピン、３５ａ，３５ｂ…支持棒、３５Ａ，３５Ｂ…端部、３６…緩衝部材、３７…固定部材、３８…作動軸、３９…押圧部材、４０…ロック機構、４１…ロックピン、４２…固定カバー、４３…ブラケット、４４…ロックピン抜け止めカバー、４５ａ，４５ｂ…作動ピン、４６…取手、５０…孔。
【図１】
2007294167.tif 000003
【図２】
2007294167.tif 000004
【図３】
2007294167.tif 000005
【図４】
2007294167.tif 000006
【図５】
2007294167.tif 000007